(57)【要約】【課題】ミラーとしての機能を有しながらも、軽量化が図れ、かつ施工や開閉操作の際における手指の接触による汚れ等を目立ち難くし得る戸パネルを提供する。【解決手段】戸パネル１は、パネル芯材１０の少なくとも厚さ方向一方面１１に、パネル幅方向中央側部位がミラー部１５となり、かつパネル幅方向両端部が非ミラー部１６ａ，１６ａとなるように、一連状に表面仕上シート１４を貼着した構成とされている。【選択図】図１
2016108722.tif 000002
【特許請求の範囲】
【請求項１】
パネル芯材の少なくとも厚さ方向一方面に、パネル幅方向中央側部位がミラー部となり、かつパネル幅方向両端部が非ミラー部となるように、一連状に表面仕上シートを貼着した構成とされていることを特徴とする戸パネル。
【請求項２】
請求項１において、
前記パネル幅方向両端部のうちの一方の非ミラー部に位置するように、開閉操作部を設けたことを特徴とする戸パネル。
【発明の詳細な説明】
【技術分野】
【０００１】
本発明は、戸パネルに関する。
【背景技術】
【０００２】
従来より、戸パネルの厚さ方向一方面等に、化粧鏡や姿見等として、また、意匠上の観点等から鏡（ミラー）を配設したものが知られている。
例えば、下記特許文献１には、扉本体に、ミラー板の上下左右の縁部を保持する上下左右のアルミ材からなる縁材を設けたミラー扉が開示されている。このミラー扉は、左右の縁部のいずれか一方に、手掛りのための凹部を有する把持部を上下方向に一体化して設けた構成とされている。
【先行技術文献】
【特許文献】
【０００３】
【特許文献１】特開２００４−１４３８５９号公報
【発明の概要】
【発明が解決しようとする課題】
【０００４】
しかしながら、上記特許文献１に記載されたようなミラー扉は、一般的にガラス板等からなるミラー板を、アルミ材からなる上下左右の縁材で保持させた構成としているので、比較的に重くなる傾向があった。また、左右の縁部のいずれか一方に、上記のような把持部を設けた構成としても、ミラー扉の施工や開閉操作の際に、把持部以外のパネル幅方向端部のミラー板の表面等に手指が接触することも考えられ、更なる改善が望まれる。
【０００５】
本発明は、上記実情に鑑みてなされたものであり、ミラーとしての機能を有しながらも、軽量化が図れ、かつ施工や開閉操作の際における手指の接触による汚れ等を目立ち難くし得る戸パネルを提供することを目的としている。
【課題を解決するための手段】
【０００６】
前記目的を達成するために、本発明に係る戸パネルは、パネル芯材の少なくとも厚さ方向一方面に、パネル幅方向中央側部位がミラー部となり、かつパネル幅方向両端部が非ミラー部となるように、一連状に表面仕上シートを貼着した構成とされていることを特徴とする。
【発明の効果】
【０００７】
本発明に係る戸パネルは、上述のような構成としたことで、ミラーとしての機能を有しながらも、軽量化を図ることができ、また、施工や開閉操作の際における手指の接触による汚れ等を目立ち難くすることができる。
【図面の簡単な説明】
【０００８】
【図１】本発明の一実施形態に係る戸パネルを備えた収納装置の一例を模式的に示し、（ａ）は、図２におけるＸ−Ｘ線矢視に対応させた一部破断概略横断面図、（ｂ）は、（ａ）に対応させた一部破断概略分解横断面図である。
【図２】同収納装置の一例を模式的に示す概略正面図である。
【発明を実施するための形態】
【０００９】
以下に本発明の実施の形態について、図面に基づいて説明する。
図１及び図２は、本実施形態に係る戸パネル及びこれを備えた収納装置の一例を模式的に示す図である。
なお、以下の実施形態では、設置され、かつ閉鎖状態とされた戸パネルに対面した状態を基準として、手前側を前方、その逆側を後方とし、また、その状態を基準として、上下方向等の方向を説明する。
【００１０】
本実施形態に係る戸パネル１は、図１（ａ）及び図２に示すように、開口を開閉する構成とされている。本実施形態では、戸パネル１を、前方に開口する収納箱体２の開口を開閉する構成とし、収納箱体２とによって収納装置３を構成するものとしている。
収納箱体２は、天板や底板、背板、左右の側板等を備えた略箱形状とされており、上下に長尺状とされている。この収納箱体２の上下寸法や幅寸法、奥行寸法等は、設置箇所や使用用途等に応じて、適宜、設定可能である。例えば、収納装置３を、玄関土間や玄関フロアー等に設置される玄関収納装置等とした場合には、コート等の収納が可能なように、収納箱体２の上下寸法を、床（土間またはフロアー）から天井までの寸法や、成人の身長程度の寸法等としてもよい。
【００１１】
戸パネル１は、上下に長尺状とされている。本実施形態では、１枚の戸パネル１によって収納箱体２の前方開口を開閉する構成としている。
また、本実施形態では、戸パネル１を、上下方向に沿う軸廻りに回動自在に収納箱体２に連結された開き戸としている。例えば、戸パネル１のパネル幅方向一端部を、スライド蝶番等の回動連結部材を介して、収納箱体２の側板等に連結するようにしてもよい。
また、図例では、閉鎖状態で戸パネル１の後方に向く面（背面）が収納箱体２の前端面に当接または近接する構成としている。つまり、図例では、戸パネル１を、閉鎖状態でアウトセット状に納められる構成としている。なお、このような態様に代えて、戸パネル１を、閉鎖状態でインセット状に納められる構成としてもよい。
【００１２】
また、戸パネル１は、パネル芯材１０の少なくとも厚さ方向一方面としての前面１１に、パネル幅方向中央側部位がミラー部１５となり、かつパネル幅方向両端部が非ミラー部１６ａ，１６ａとなるように、一連状に表面仕上シート１４を貼着した構成とされている。
パネル芯材１０は、図１及び図２に示すように、略矩形平板状とされている。
このパネル芯材１０は、例えば、中実板状とされたものとしてもよく、複数の枠状芯材や桟部材等の表裏面に面材を貼着したフラッシュパネル状の芯材等としてもよい。
【００１３】
また、パネル芯材１０は、合板やＬＶＬ（単板積層材）等の木質積層板、パーティクルボード等の木質ボード、インシュレーションボードやＭＤＦ（中密度繊維板）等の木質繊維板などの木質系材料から形成されたものとしてもよい。また、パネル芯材１０は、合成樹脂系材料に、木粉や無機フィラー、相溶化剤、着色剤などを所定の含有割合で含有させた木粉・プラスチック複合材（ＷＰＣ）から形成されたものとしてもよい。
また、図例では、パネル芯材１０の前面１１側のパネル幅方向両端側の角部を、面取り形状（図例では、Ｃ面取り形状）とした例を示している。
【００１４】
本実施形態では、このパネル芯材１０の前面１１のパネル幅方向両端部に加え、面取り部を含むパネル幅方向両側の端面１２，１２が非ミラー部（端面非ミラー部）１６ｂ，１６ｂとなるように、一連状に表面仕上シート１４を貼着した構成としている。なお、面取り部を、端面１２，１２に含ませずに、前面１１に含ませるようにしてもよい。
また、本実施形態では、さらに、パネル芯材１０の厚さ方向他方面としての背面１３のパネル幅方向両端部が非ミラー部（背面非ミラー部）１６ｃ，１６ｃとなるように、一連状に表面仕上シート１４を貼着した構成としている。
また、本実施形態では、一枚の表面仕上シート１４を、パネル芯材１０の前面１１、両端面１２，１２及び背面１３のパネル幅方向両端部に一連状に貼着した構成としている（図１（ｂ）参照）。
【００１５】
ミラー部１５は、ミラー（鏡）として機能する構成とされ、本実施形態では、このミラー部１５を、姿見として利用可能な構成としている。このミラー部１５の上下寸法やパネル幅方向に沿う寸法（幅寸法）は、成人の概ね全身が映るような寸法等としてもよい。また、本実施形態では、ミラー部１５を、パネル厚さ方向に見て、上下方向に長尺な矩形状としている。また、本実施形態では、このミラー部１５を、当該戸パネル１の全長に亘って設けている。なお、ミラー部１５は、パネル厚さ方向に見て矩形状とされたものに限られず、種々の形状とされたものとしてもよい。
【００１６】
パネル芯材１０の前面１１のパネル幅方向両端部に貼着された非ミラー部としての前面非ミラー部１６ａ，１６ａは、パネル芯材１０の前面１１のミラー部１５のパネル幅方向両側のそれぞれに連なるように設けられている。これら前面非ミラー部１６ａ，１６ａは、当該戸パネル１の前面のパネル幅方向両端部の全長に亘って設けられている。
また、これら前面非ミラー部１６ａ，１６ａのパネル幅方向に沿う寸法（幅寸法）は、戸パネル１の施工や開閉の際におけるミラー部１５への手指の接触を抑制する観点からや、ミラー部１５が当該戸パネル１の前面において大半を占めるように適宜の寸法としてもよい。例えば、これら前面非ミラー部１６ａ，１６ａの幅寸法を足し合わせた寸法よりも、ミラー部１５の幅寸法が大となるようにしてもよい。図例では、ミラー部１５の幅寸法を、前面非ミラー部１６ａ，１６ａの幅寸法を足し合わせた寸法の３倍程度とした例を示している。
【００１７】
また、本実施形態では、これら前面非ミラー部１６ａ，１６ａの幅寸法を、互いに略同寸法としている。つまり、ミラー部１５を、当該戸パネル１の前面のパネル幅方向中央部に設けた構成としている。なお、このような態様に代えて、パネル幅方向両側の前面非ミラー部１６ａ，１６ａの幅寸法を、互いに異なる寸法としてもよい。
パネル芯材１０の両端面１２，１２に貼着された端面非ミラー部１６ｂ，１６ｂは、パネル幅方向両側の前面非ミラー部１６ａ，１６ａのそれぞれに一連状に設けられている。これら端面非ミラー部１６ｂ，１６ｂは、当該戸パネル１のパネル幅方向両端面の全面に亘って設けられている。
【００１８】
また、パネル芯材１０の背面１３のパネル幅方向両端部に貼着された背面非ミラー部１６ｃ，１６ｃは、両端面ミラー部１６ｂ，１６ｂのそれぞれに一連状に設けられている。これら背面非ミラー部１６ｃ，１６ｃは、当該戸パネル１の背面のパネル幅方向両端部の全長に亘って設けられている。これら背面非ミラー部１６ｃ，１６ｃのパネル幅方向に沿う寸法（幅寸法）は、表面仕上シート１４の端部からの剥がれを抑制する観点等から適宜の寸法としてもよい。図例では、これら背面非ミラー部１６ｃ，１６ｃの幅寸法を、前面非ミラー部１６ａ，１６ａの幅寸法よりも小さくした例を示している。
これら非ミラー部１６ａ，１６ａ，１６ｂ，１６ｂ，１６ｃ，１６ｃ（以下では、これらを総称して非ミラー部１６とする場合がある。）は、手指の接触による汚れ等が目立ち難いように、木目模様等の適宜の色柄の化粧面とされている。
【００１９】
これら非ミラー部１６及びミラー部１５を構成する表面仕上シート１４は、可撓性の薄シート状（フィルム状）とされている。
この表面仕上シート１４は、例えば、透明樹脂シートのミラー部１５となる部位の裏面（または表面）に、アルミ等の金属を蒸着等してミラー部１５とした態様とされたものとしてもよい。また、表面仕上シート１４は、この透明樹脂シートの非ミラー部１６となる部位の表面（または裏面）に、木目模様等の色柄を印刷や塗装等して非ミラー部１６とした態様とされたものとしてもよい。または、表面仕上シート１４は、例えば、鏡面仕上が施された金属系シートの非ミラー部１６となる部位の表面に、木目模様等の色柄を印刷や塗装等して非ミラー部１６とした態様とされたものとしてもよい。さらには、例えば、表面仕上シート１４を、それぞれに別体とされたミラー部１５及び非ミラー部１６，１６を溶着等によって一連状としたような態様等としてもよい。なお、図１では、一連状のシートである表面仕上シート１４のミラー部１５と非ミラー部１６とを、便宜的に別ハッチングにて示している。
また、この表面仕上シート１４は、適宜の接着剤等によってパネル芯材１０の前面１１等に貼着されたものとしてもよい。
【００２０】
また、本実施形態では、パネル幅方向両端部のうちの一方の前面非ミラー部１６ａに位置するように、開閉操作部１７を設けた構成としている。この開閉操作部１７は、当該戸パネル１の吊元側とは異なる側となる戸先側端部の前面に位置するように設けられている。図例では、開閉操作部１７を、戸パネル１の戸先側端部の上下方向途中部位の前面に付設状に設けられたバーハンドル状の取手としている。なお、開閉操作部１７としては、このような態様とされたものに限られず、戸パネル１の納め態様や戸の種類等に応じて、適宜の態様とされたものとしてもよい。例えば、開閉操作部１７を、レバーハンドル状やノブ（握り玉）状、プッシュハンドル状とされたものや、更には、掘り込み状に設けられた引手等としてもよい。
【００２１】
本実施形態に係る戸パネル１は、上述のような構成としたことで、ミラーとしての機能を有しながらも、軽量化を図ることができ、また、施工や開閉操作の際における手指の接触による汚れ等を目立ち難くすることができる。
つまり、パネル芯材１０の少なくとも厚さ方向一方面（前面）１１に、パネル幅方向中央側部位がミラー部１５となり、かつパネル幅方向両端部が非ミラー部（前面非ミラー部）１６ａ，１６ａとなるように、一連状に表面仕上シート１４を貼着した構成としている。従って、戸パネル１を、ミラーとして機能させることができ、例えば、化粧鏡や姿見等として利用したり、すっきりとした外観にすることができる。
【００２２】
また、ガラス板等からなるミラー板を設けたものや、このようなミラー板をアルミ材からなる縁材によって保持させたようなものと比べて、軽量化を図ることができる。これにより、戸パネル１を開閉自在に支持する蝶番や、ランナー、レール等への負荷を低減することができ、戸パネル１として好適なものとなる。また、表面仕上シート１４をパネル芯材１０に一連状に貼着した構成としているので、構造の簡略化を図ることができ、また、ミラー部１５とその両側の前面非ミラー部１６ａ，１６ａとの段差が略形成されず、見栄えを向上させることができる。
また、施工や開閉操作の際に手指が接触し易くなる部位となるパネル幅方向両端部の前面が前面非ミラー部１６ａ，１６ａであるので、施工や開閉操作の際に、パネル幅方向両端部に手指が接触した場合にも、汚れ等を目立ち難くすることができる。
【００２３】
また、本実施形態では、パネル幅方向両端部のうちの一方の前面非ミラー部１６ａに位置するように、開閉操作部１７を設けた構成としている。従って、開閉操作部１７を介して戸パネル１の開閉操作を行うことができ、例えば、戸パネル１のパネル幅方向端部を把持等して開閉操作を行うようなものと比べて、開閉操作性を向上させることができる。
また、開閉操作部１７を、前面非ミラー部１６ａに位置するように設けているので、開閉操作の際に開閉操作部１７の周囲に手指が接触した場合にも、汚れ等を目立ち難くすることができる。なお、このような態様に代えて、開閉操作部１７をミラー部１５に位置するように設けてもよく、さらには、このような開閉操作部１７を設けないようにしてもよい。
【００２４】
また、本実施形態では、戸パネル１のパネル幅方向両端面及び背面のパネル幅方向両端部を、非ミラー部１６ｂ，１６ｂ，１６ｃ，１６ｃとしている。従って、施工や開閉操作の際に手指が接触し易くなる部位となるパネル幅方向両端部の表面が非ミラー部１６となり、当該部位に手指が接触した場合にも、汚れ等を目立ち難くすることができる。
なお、本実施形態では、パネル芯材１０の背面１３のパネル幅方向中央側部位に表面仕上シートを貼着していない例を示しているが、パネル芯材１０の背面１３のパネル幅方向中央側部位にも、一連状にまたは別体とされた表面仕上シートを貼着するようにしてもよい。この場合は、パネル芯材１０の背面１３のパネル幅方向中央側部位が、上記同様なミラー部となるように、表面仕上シートを貼着した構成としてもよく、または、パネル芯材１０の背面１３の全面が非ミラー部となるように、表面仕上シートを貼着した構成としてもよい。
【００２５】
また、本実施形態では、パネル芯材１０の両端面１２，１２及び背面１３のパネル幅方向両端部に非ミラー部１６ｂ，１６ｂ，１６ｃ，１６ｃとなるように表面仕上シート１４を貼着した例を示しているが、このような態様に限られない。例えば、パネル芯材１０の背面１３のパネル幅方向両端部には表面仕上シートを貼着しない態様としてもよく、さらには、パネル芯材１０の両端面１２，１２にも表面仕上シートを貼着しない態様としてもよい。
また、本実施形態では、ミラー部１５を、戸パネル１の全長に亘って設けた例を示しているが、戸パネル１の長手方向の途中部位のみに設けた態様としてもよい。この場合は、ミラー部１５の長手方向両側に、非ミラー部を設けるようにしてもよい。
【００２６】
また、本実施形態では、収納箱体２の開口を、１枚の戸パネル１によって開閉する態様とした例を示しているが、このような態様に限られない。例えば、収納箱体２の開口を、本実施形態に係る戸パネル１を含む互いに同様の構成または異なる構成とされた複数枚の戸パネルによって開閉する態様としてもよい。また、本実施形態では、戸パネル１を、比較的に上下寸法が大とされた収納箱体２の開口を開閉するものとした例を示しているが、鏡台や洗面化粧台等の上側部位の収納部の開口を開閉するもの等としてもよく、左右に長尺状とされたもの等としてもよい。
【００２７】
また、本実施形態では、戸パネル１を、収納装置３が備える収納箱体２の開口を開閉する収納扉とした例を示しているが、住居等の建物内に設けられるクローゼットや押入等の種々の収納部の開口を開閉する収納扉としてもよい。この場合は、収納空間の内面が壁面や床面、天井面等によって構成されるものとしてもよい。さらには、戸パネル１を、適宜の戸枠に建て付けられ、出入口を開閉する建具等としてもよい。
また、本実施形態では、戸パネル１を、開き戸とした例を示しているが、引戸や、折戸の戸板を構成するものとしてもよい。
【符号の説明】
【００２８】
１      戸パネル
１０    パネル芯材
１１    前面（厚さ方向一方面）
１４    表面仕上シート
１５    ミラー部
１６ａ  前面非ミラー部（非ミラー部）
１７    開閉操作部
【図１】
2016108722.tif 000003
【図２】
2016108722.tif 000004